(57)【要約】      （修正有）【課題】生産コストを減少させるだけでなく、ユーザーは、電子製品がサポートを必要とするデジタル制御プログラムやデータを、自由に、ダウンロードすることが出来るプログラム化可能なワイヤレストランシーバモジュールを提供する。【解決手段】本考案のプログラム化可能なワイヤレストランシーバモジュールは、ワイヤレス電子製品上に応用し、モジュールは、本体内に回路板を設置し、回路板上に制御ユニットを有し、制御ユニットは、それぞれ、ワイヤレストランシーバユニットと、プログラム化可能なメモリに連接される。ワイヤレストランシーバユニットは、電子製品をサポートするデジタル制御プログラム、及び、データをダウンロードし、プログラム化可能なメモリにより、プログラムを保存して、接触導電ピンにより、その他の電子製品と連接し、信号の伝送を実行する。【選択図】図２
0003107904.tif 000002
【実用新案登録請求の範囲】
【請求項１】
プログラム化可能なワイヤレストランシーバモジュールであって、一般の電子製品上に応用し、前記モジュールは、
回路板を設置し、前記回路板上に接触金属接点を設置する本体と、
前記本体内に設置され、前記回路板上に位置する制御ユニットと、
前記回路板上に設置され、前記制御ユニットと連接し、前記制御ユニットにより制御され、前記電子製品に、ワイヤレス伝送を実行させて、デジタルインフォメーション、或いは、オーディオ信号をトランシーバし、電子製品が必要とするデジタルプログラムを、自身でダウンロードすることが出来るワイヤレストランシーバユニットと、
前記回路板に設置されて、前記制御ユニットに連接され、相関する運用プログラムと制御コードを保存、圧縮、解凍するプログラム化可能なメモリと、
前記回路板上に設置され、前記接触金属接点により、前記制御ユニットに連接され、且つ、前記本体から露出して、前記電子製品と連接し、信号伝送を実行する接触導電ピンと、
からなることを特徴とするプログラム化可能なワイヤレストランシーバモジュール。
【請求項２】
前記回路板は、プリント回路板であることを特徴とする請求項１に記載のプログラム化可能なワイヤレストランシーバモジュール。
【請求項３】
前記プログラム化可能なメモリは、電気的消去可能ROM、及び、フラッシュメモリのどちらか一つであることを特徴とする請求項１に記載のプログラム化可能なワイヤレストランシーバモジュール。
【請求項４】
前記電子製品は、連接インターフェースを設置し、前記制御ユニット、及び、前記導電ピンを連接して、信号の伝達を実行することを特徴とする請求項１に記載のプログラム化可能なワイヤレストランシーバモジュール。
【請求項５】
前記信号は、オーディオ、及び、デジタル信号で構成される群のひとつであることを特徴とする請求項１に記載のプログラム化可能なワイヤレストランシーバモジュール。
【請求項６】
前記電子製品は、USBドングル、ヘッドセット、カーキット、マウス、ワイヤレスアダプタ、リモコンのいずれかであることを特徴とする請求項１に記載のプログラム化可能なワイヤレストランシーバモジュール。
【請求項７】
前記本体は前記電子製品内に設置されることを特徴とする請求項１に記載のプログラム化可能なワイヤレストランシーバモジュール。
【考案の詳細な説明】
【技術分野】
【０００１】
本考案は、プログラム化可能なワイヤレストランシーバモジュールに関するものであって、特に、末端製品及び工業素子の特性を同時に兼ね備えるプログラム化可能なワイヤレストランシーバモジュールに関するものである。
【背景技術】
【０００２】
電子製品技術の進歩に伴って、電子製品の功能に対する要求が多元化し、よって、ワイヤレストランシーバモジュールは、電子製品上に応用されて、ワイヤレス電子製品上において不可欠な重要功能となってきている。
【０００３】
ワイヤレストランシーバモジュールは、多くが、電子製品が必要とする回路上に運用され、電子手工溶接、製品功能性の再テスト、機構組み立て、付属物包装、製品検査等の工程により、回路と共に、電子製品内のプリント回路板（printed-circuit board、PCB）上に設置するか、或いは、単独で、工業素子モジュールとして製作し、工業加工手法により、相関する製品に、ワイヤレストランシーバの功能を賦与する。
【０００４】
電子製品内に設置されたプリント回路板は、製品の形式、及び、機種の差異と工程変更の要求により、生産工程上、在庫品が停滞し、資源の浪費と運営上の損失を招き、単独で、工業素子モジュールとしての製作は、専用の工業生産技術でないとワイヤレストランシーバの功能を完成できないので、製造コストと加工時間（lead  time）を大幅に増やし、企業競争力を衰退させる。
【０００５】
よって、本考案は、産業競争力と前述の欠点を改善するため、プログラム化可能なワイヤレストランシーバモジュールを提供する。
【考案の開示】
【考案が解決しようとする課題】
【０００６】
本考案は、末端製品及び工業素子の特性を同時に兼ね備えるプログラム化可能なワイヤレストランシーバモジュールを提供することを目的とし、末端素子のワイヤレストランシーバモジュール製品として使用するとき、要望に応じたアプリケーションサービスの功能の単独運用により、その他のワイヤレス伝送トランシーバ功能を有する電子製品と相互に連接して使用する。工業素子として使用するとき、直接、予留のインターフェース接点により、その他の任意の形式の電子製品上の端子と連接し、電子製品がデジタルデータ、或いは、オーディオワイヤレストランシーバの動作を達成する。専用の電子加工、アセンブリ、テスト等をする必要がない。
【０００７】
更に、本考案は、ユーザーが、自ら、インターネット上で、相関する功能の駆動プログラムやコントロールコードを取得し、異なるワイヤレス電子製品上にて使用することができる、プログラム化可能なワイヤレストランシーバモジュールを提供することを、もう一つの目的とする。
【課題を解決するための手段】
【０００８】
上述の目的を達成するため、本考案のプログラム化可能なワイヤレストランシーバモジュールは、本体からなり、本体内にプリント回路を設置し、プリント回路板上に、制御ユニットを有し、制御ユニットは、それぞれ、ワイヤレストランシーバユニットと、プログラム化可能なメモリを連接、制御する。ワイヤレストランシーバユニットは、電子製品が必要とするデジタル制御プログラムをダウンロードし、且つ、電子製品に、デジタルインフォメーション、或いは、オーディオワイヤレストランシーバ動作を実行させる。プログラム化可能なメモリは、相関する運用プログラムと制御コードを保存して、プリント回路板上の制御ユニットは、本体外に露出した接触導電ピンと連接し、電子製品と連接して、信号伝送、及び、電子設施の制御と運用を実行する。
【考案の効果】
【０００９】
本考案のプログラム化可能なワイヤレストランシーバモジュールは、末端製品及び工業素子の特性を同時に兼ね備え、一般の電子製品、例えば、USBドングル（USB  Dongle）、ヘッドセット（headset）、カーキット（Car
kit）、マウス（Mouse）、ワイヤレスアダプタ（adapter）上に応用し、広く３C家電とリモコンに運用される。
【考案を実施するための最良の形態】
【００１０】
図１は、プログラム化可能なワイヤレストランシーバモジュールの外観図で、図２は、回路図である。プログラム化可能なワイヤレストランシーバモジュール２０は、本体２０２からなり、本体２０２上に、ユーザーインターフェース（User  Interface、UI）を設置し、ユーザーは、プログラム化可能なワイヤレストランシーバモジュール２０が操作しやすくなっている。また、本体２０２上に、バーンインターフェース接点（PI）、IOインターフェース接点、デコード、コードインターフェース金属接点CM、RS２３２インターフェース接点UART、USBインターフェース金属接点等、の相関する制御インターフェースの接触金属接点（pad）を予留すると共に、本体２０２内に、プリント回路板などの回路板２０４を設置し、回路板２０４上に、制御ユニット２０６、ワイヤレストランシーバユニット２０８、プログラム化可能なメモリ２１０を設置している。プログラム化可能なメモリ２１０は通常、電気的消去可能ROM （electrically erasable programmable
read-only memory、EEPROM）、及び、フラッシュメモリ（Flash  memory）で、制御ユニット２０６は、それぞれ、ワイヤレストランシーバユニット２０８、及び、プログラム化可能なメモリ２１０に接続されている。ワイヤレストランシーバユニット２０８は、制御ユニット２０６により制御されて、電子製品に必要なデジタルプログラムをダウンロードし、ユーザーは、自分で、更新プログラムをダウンロードさせることが出来る。また、電子製品にトランシーバの動作を実行させ、プログラム化可能なメモリ２１０は、プログラム化可能な功能を有すると共に、ワイヤレストランシーバユニット２０８がダウンロードしたプログラムを保存する。この他、回路板２０４上に、導電金属ピン２１２を設置し、導電金属ピン２１２は、制御ユニット２０６に連接され、且つ、導電金属ピン２１２は本体２０２から露出して、連接インターフェースとなる。
【００１１】
プログラム化可能なワイヤレストランシーバモジュール２０が、独立して使用されるとき、プリント回路板上の導電金属ピン２１２により、直接、USB端子と連接して、デジタルインフォメーションや、オーディオ信号ワイヤレス伝送を実行し、本体２０２は、導電金属ピン２１２により、直接、コンピュータUSB連接端と連接して使用される。
【００１２】
本体２０２がその他の電子製品のワイヤレス伝送ユニットとなるとき、導電金属ピン２１２により、パソコンで、電子製品をサポートする相関したデジタルプログラムや制御コードを、直接ダウンロードし、プログラムをプログラム化可能なメモリ２１０中に保存する。その後、本考案の製品を運用して、導電金属ピンにより、電子製品をサポートし、ワイヤレス伝送の目的を達成する。
【００１３】
電子製品内にプリント回路板を設置し、その上に、電子製品に使用する必要がある回路を設置し、プログラム化可能なワイヤレストランシーバモジュール２０が、独立して使用でき、他の電子製品の連接端と連接できる以外に、プログラム化可能なワイヤレストランシーバモジュール２０は、電子製品内のプリント回路板上に装着され、公知技術のように、電子製品製作時に、ワイヤレストランシーバモジュールを、一緒に、プリント回路板に製作して、その他の回路と連接するのと異なるので、プログラム化可能なワイヤレストランシーバモジュール２０が損壊したとき、新しいワイヤレストランシーバモジュール２０で置き換えれば、コストが抑えられる。損壊時に、その他の回路功能に影響し、電子製品内のプリント回路板を全て廃棄しなければならない公知技術を改善できる。
【００１４】
本考案は、内建された、プログラム化可能な功能を有するROMを利用し、電子製品が必要なプログラムをダウンロードでき、且つ、要望に応じて量産化が可能で、プログラム化可能なワイヤレスモジュールを利用するだけで、各式ワイヤレストランシーバ功能が必要な電子製品に適用でき、本考案のプログラム化可能なワイヤレストランシーバモジュールは、独立して使用でき、電子製品と連接する以外に、電子製品内のプリント回路板上に装着され、よって、ワイヤレストランシーバモジュールが損壊したとき、もう一つのワイヤレストランシーバモジュールと取り替えればよく、電子製品内のプリント回路全部を廃棄する必要はないので、コストが減少する。
【図面の簡単な説明】
【００１５】
【図１】本考案のプログラム化可能なワイヤレストランシーバモジュールの外観図である。
【図２】本考案の回路を示した説明図である。
【符号の説明】
【００１６】
２０…プログラム化可能なワイヤレストランシーバモジュール
２０２…本体
２０４…回路板
２０６…制御ユニット
２０８…ワイヤレストランシーバユニット
２１０…プログラム化可能メモリ    
２１２…導電金属ピン    
【図１】
0003107904.tif 000003
【図２】
0003107904.tif 000004